(57)【要約】【課題】  混合噴霧器をスプレーガン本体の取付筒に装着し、噴霧器に嵌挿されたピストン部材をスプレーガンのトリガーを操作することにより作動杆を介して押圧するようにした二液混合噴霧器を提供すること。【解決手段】  異なる二液を収納した二つの円筒体を連設した容器本体と、容器本体の前面に取着されたノズル部材とを具備した二液混合噴霧器と、該噴霧器をスプレーガンに装着した二液混合噴霧器であって、前記噴霧器の容器本体は、各円筒体に嵌挿されたピストン部材と、作動杆の挿入孔を具えた蓋部材と、円筒体の前部に挿入された弁部材と、円筒体の頂壁と弁部材の受圧ピストン体との間に弾装されたばね部材とを具備しており、ノズル部材は、噴霧ノズルと、容器本体の取付部に取着され、容器本体との間に混合室を設けたケーシングとを具備しており、スプレーガンは、噴霧器取付筒を回動自在に取着したトリガー部材と、トリガー部材を摺動自在に装着し、噴霧器のピストン部材に係合する作動杆を設けたガン本体を具備していることを特徴とする。【選択図】  図１
2006150296.tif 000002
【特許請求の範囲】
【請求項１】
異なる二液を収納した二つの円筒体を連設した容器本体と、容器本体の前面に取着されたノズル部材とを具備した二液混合噴霧器と、該噴霧器をスプレーガンに装着した二液混合噴霧器であって、
前記噴霧器の容器本体は、各円筒体に嵌挿されたピストン部材と、作動杆の挿入孔を具えた蓋部材と、円筒体の前部に挿入された弁部材と、円筒体の頂壁と弁部材の受圧ピストン体との間に弾装されたばね部材とを具備しており、
ノズル部材は、噴霧ノズルと、容器本体の取付部に取着され、容器本体との間に混合室を設けたケーシングとを具備しており、
スプレーガンは、噴霧器取付筒を回動自在に取着したトリガー部材と、トリガー部材を摺動自在に装着し、噴霧器のピストン部材に係合する作動杆を設けたガン本体を具備していることを特徴とする二液混合噴霧器。
【発明の詳細な説明】
【技術分野】
【０００１】
本発明は、二液混合噴霧器、とくに二液混合噴霧器をカートリッジ式にスプレーガンに装着し、トリガーを操作することによって噴霧するようにした二液混合噴霧器に関するものである。
【背景技術】
【０００２】
二つの噴霧ノズルを並列した噴霧ヘッドと、該噴霧ヘッドに嵌挿され、異なる二種類の液体を別個に収納する二つの注射器状の円筒容器と各円筒容器の筒部に嵌挿されるプランジャーと、トリガーによって操作されるプランジャー規制手段とを具備した二液同時噴霧器は従来より知られている（例えば特許文献１参照）。
【０００３】
上記特許文献１記載の従来の噴霧器は、それぞれの注射器状の円筒容器を、噴霧ヘッドに設けられた二つの噴霧ノズルに個別に係合させて噴霧ヘッドに嵌挿するようにしており、二液を混合して噴霧することができなかった。
また、二つの注射器状の円筒容器に収納された液をプランジャー操作により噴霧ノズルに送り、噴霧させるだけで、蓄圧機能を持たせることはできないという問題があった。
さらにまた、二つの円筒容器とプランジャーは隔離された別個のハウジングに装着され、構造が複雑であるという問題があった。
【０００４】
また、噴霧器として、二種類の液体を混合させて噴霧するようにしたトリガー式噴霧器も従来より知られている（例えば、特許文献２参照）。
【０００５】
上記特許文献２記載の噴霧器は、混合液を噴霧するものであるが、構造上小型化できず、狭い範囲に噴霧できないという問題があった。
【特許文献１】特表２００１−５０２１９９号公報
【特許文献２】特開平１０−１６５８５４号公報
【発明の開示】
【発明が解決しようとする課題】
【０００６】
本願発明は、上記問題点を解決することを課題とし、混合噴霧器をスプレーガン本体の取付筒に装着し、噴霧器に嵌挿されたピストン部材をスプレーガンのトリガーを操作することにより作動杆を介して押圧するようにした二液混合噴霧器を提供することを目的とする。
【課題を解決するための手段】
【０００７】
本発明は、上記の課題を解決するため、二液混合噴霧器として、異なる二液を収納した二つの円筒体を連設した容器本体と、容器本体の前面に取着されたノズル部材とを具備した二液混合噴霧器と、該噴霧器をスプレーガンに装着した二液混合噴霧器であって、前記噴霧器の容器本体は、各円筒体に嵌挿されたピストン部材と、作動杆の挿入孔を具えた蓋部材と、円筒体の前部に挿入された弁部材と、円筒体の頂壁と弁部材の受圧ピストン体との間に弾装されたばね部材とを具備しており、ノズル部材は、噴霧ノズルと、容器本体の取付部に取着され、容器本体との間に混合室を設けたケーシングとを具備しており、スプレーガンは、噴霧器取付筒を回動自在に取着したトリガー部材と、トリガー部材を摺動自在に装着し、噴霧器のピストン部材に係合する作動杆を設けたガン本体を具備していることを特徴とする構成を採用する。
【発明の効果】
【０００８】
本発明は、二液混合噴霧器をスプレーガンに装着し、容器本体の二つの円筒体にピストン部材を嵌挿し、該ピストン部材をスプレーガンのガン本体に設けた作動杆によって押圧するようにしているから、トリガーを引くことによって、容易に二液混合噴霧ができるようになった。
【０００９】
噴霧停止時には、ばねの復元によって弁部材を後退させ、瞬時に吐出口を閉鎖するとともに、さらに、混合室を負圧にすることによって、噴霧しようとする液体を吸引して液垂れ防止効果を向上させることができた。
また、液体の噴霧量は、トリガー部材の牽引長さに応じて、自由に調整できるようになった。
【発明を実施するための最良の形態】
【００１０】
次に、本発明の二液混合噴霧器について、図面を参照して説明する。
図１、２において、Ａはカートリッジ式の噴霧器本体、Ｂは噴霧器本体Ａを装着するスプレーガンである。
【００１１】
噴霧器本体Ａは、図３に示すように、二つの円筒容器を連接した容器本体Ａａと、容器本体Ａａに取着されるノズル部材Ａｂと、容器本体Ａａの二つの円筒容器内に嵌挿する弁部材Ａｃ１、Ａｃ２と、樹脂ばね部材Ａｄ１、Ａｄ２、およびピストン部材Ａｅ１、Ａｅ２と、容器本体Ａａと係合する蓋部材Ａｆとを具備している。
【００１２】
容器本体Ａａは、大径の円筒体Ａａ１と、小径の円筒体Ａａ２との直径の異なる二つの円筒体で構成されており、それぞれが筒壁１ａ、１ｂと、頂壁２ａ、２ｂとを具備しており、二つの筒壁１ａ、１ｂは、その一部を共通部として接続部３で連接されている。
なお、円筒体Ａａ１、および円筒体Ａａ２は、同径であっても差し支えない。
【００１３】
それぞれの頂壁２ａ、２ｂには、それぞれの中心部に弁部材Ａｃ１、Ａｃ２の弁体を嵌挿する弁孔４ａ、４ｂが穿設されており、頂壁２ａ、２ｂの上面には、弁孔４ａ、４ｂより間隙をあけて流路５ａ、５ｂを設けたノズル部材Ａｂを取着する取付部６が立設されている。
頂壁２ａ、２ｂの所定の位置には、空気孔７ａ、７ｂが穿設されている。
筒壁１ａ、１ｂ下端には、接続部３を除く外周に、膨出環８ａ、８ｂが設けられている。
【００１４】
ノズル部材Ａｂは、容器本体Ａａの頂壁２ａ、２ｂの取付部６に取着されるケーシング１０と円形の噴霧ノズル１１とからなっている。
ケーシング１０の内部は、取付部６の流路５ａ、５ｂを連結する混合室１２となっている。
【００１５】
噴霧ノズル１１は、ケーシング１０の上壁に立設され、噴霧ノズル１１の中心部は、円柱部１３となっており、その周囲には、弧状の流路１４が設けられている。
噴霧ノズル１１の先端部は、円形の環状孔１５となっており、該環状孔１５には、頂壁１６と側周壁１７とからなるノズルチップ１８が嵌着されている。
【００１６】
ノズルチップ１８の頂壁１６には、噴出口１９が穿孔され、頂壁１６と円柱部１３の先端との間には、スピン溝２０が形成されている。
側周壁１７の内周面には、円柱部１３との間に環状流路２１が形成されている。
【００１７】
弁部材Ａｃ１、Ａｃ２は、受圧ピストン体２５ａ、２５ｂと弁体２６ａ、２６ｂとから構成され、円筒体Ａａ１、Ａａ２の内部に摺動可能に嵌挿されている。
受圧ピストン体２５ａ、２５ｂは、上面２７ａ、２７ｂの中心に弁体２６ａ、２６ｂが連設され、外周面にスカート状の摺動面２８ａ、２８ｂと底面に凹状受圧面２９ａ、２９ｂとを具えている。
【００１８】
弁体２６ａ、２６ｂは、頂壁３０ａ、３０ｂと、円筒体Ａａ１、Ａａ２の頂壁２ａ、２ｂに設けた弁孔４ａ、４ｂに摺動可能に嵌挿され、下端が受圧ピストン体２５ａ、２５ｂに連設される弁筒壁３１ａ、３１ｂとを具えている。
頂壁３０ａ、３０ｂの側周面には突部が設けられ、弁筒壁３１ａ、３１ｂの所定の位置には吐出孔３２ａ、３２ｂが穿設されている。
弁筒壁３１ａ、３１ｂの中央には、吐出孔３２ａ、３２ｂと受圧ピストン体２５ａ、２５ｂの凹状受圧面２９ａ、２９ｂまでを連通する流路３３ａ、３３ｂが穿設されている。
【００１９】
樹脂ばね部材Ａｄ１、Ａｄ２は、容器本体Ａａの頂壁２ａ、２ｂ裏面と、弁部材Ａｃの受圧ピストン体２５ａ、２５ｂの上面２７ａ、２７ｂとの間に介在し、両者を離反する方向に作用する圧縮ばねである。
その材料は、ピストン部材Ａｅ１、Ａｅ２を押圧して、円筒体Ａａ１、Ａａ２内の内圧が所定の圧力に達したときに、弁部材Ａｃ１、Ａｃ２を移動させ、吐出孔３２ａ、３２ｂから内容液を吐出し、押圧力が解かれた時に、直ちに弁部材Ａｃ１、Ａｃ２を元の位置に復帰させるのに必要な弾撥力を具えた合成樹脂から選択し、その形状は、圧縮された時点において場所を取らないようにし、断面ほぼＵ形の板ばねを横向きにしたものを用いる。
【００２０】
ピストン部材Ａｅ１、Ａｅ２は、弁部材Ａｃ１、Ａｃ２の受圧ピストン体２５ａ、２５ｂの凹状受圧面２９ａ、２９ｂと対応する形状の凸状上面部３５ａ、３５ｂと、円筒体Ａａ１、Ａａ２の筒壁１ａ、１ｂ内周を摺動するスカート状の摺動面部３６ａ、３６ｂと、底面部３７ａ、３７ｂとを具えており、底面部３７ａ、３７ｂの中央部には、作動杆支持部３８ａ、３８ｂが設けられている。
【００２１】
蓋部材Ａｆは、容器本体Ａａの円筒体Ａａ１、Ａａ２の筒壁１ａ、１ｂの内周下端部に取着される頂壁４０ａ、４０ｂと筒壁４１ａ、４１ｂを具えた円柱筒状の蓋体４２ａ、４２ｂと、筒壁４１ａ、４１ｂの外周下端部から連設され、蓋体４２ａ、４２ｂを連結し、容器本体Ａａの接続部３と膨出環８ａ、８ｂとの下端と当接する蓋板４３とを具えている。
頂壁４０ａ、４０ｂの中央部には、挿入孔４４ａ、４４ｂが穿設され、頂壁４０ａ、４０ｂ底面と筒壁４１ａ、４１ｂ内周との所定の位置には、蓋体４２ａ、４２ｂの変形を防ぐリブ４５ａ、４５ｂが連設されている。
【００２２】
スプレーガンＢは、図４に示すように、トリガー部材Ｂａと、トリガー部材Ｂａに取着され廻動し、噴霧器本体Ａを装着する取付筒部材Ｂｂと、トリガー部材Ｂａを取着し摺動させるガン本体Ｂｃとを具備しており、噴霧器本体Ａのノズル部材Ａｂの噴出口１９が、軸の中心にくるように形成されている。
【００２３】
トリガー部材Ｂａは、図５に示すように、後側に、傾斜面５０を形成したトリガー５１と、トリガー５１の上端前方に設けられ、取付筒部材Ｂｂを廻動自在に取着する円柱形の嵌合部５２と、トリガー５１の後方の上端付近に連設され、ガン本体Ｂｃに装着し、摺動するための摺動板５３とを具えている。
【００２４】
取付筒部材Ｂｂは、図６に示すように、噴霧器本体Ａの容器本体Ａａが嵌挿される筒部５５と、筒部５５の下方に垂設され、トリガー５１に取着される二枚の取付板５６とを具えている。
【００２５】
筒部５５は、噴霧器本体Ａの容器本体Ａａの頂壁２ａ、２ｂが当接する壁部５７と、容器本体Ａａの外周が内周と係合し、固定する筒壁５８とを具えている。
壁部５７の中央付近には、噴霧器本体Ａのノズル部材Ａｂのケーシング１０を挿入する開口５９が穿設されている。
二枚の取付板５６には、それぞれ中央付近に係合孔６０が穿設され、トリガー５１の嵌合部５２の端部外周に係合し、二枚の取付板５６でトリガー５１の上端側面を挟持するようになっている。  
【００２６】
ガン本体Ｂｃは、図７に示すように、板状の本体部６５と、本体部６５の下面に設けられた握り部６６と、本体部６５の後端部に設けられた押圧部６７と、本体部６５の前方上面に設けられ、取付筒部材Ｂｂの移動を案内する２枚の案内板６８を具えている。
【００２７】
本体部６５は、前端側面の中央付近から本体部６５の後端部まで、トリガー部材Ｂａの摺動板５３が摺動するガイド孔６９が形成され、本体部６５の前端側面の中央付近からガイド孔６９に沿って、本体部６５の所定の位置まで上面から下面まで切込み部７０が切り込まれている。
【００２８】
切込み部７０は、取付筒部材Ｂｂの二枚の取付板５６の外側が入る切込み部７０ａと、トリガー部材Ｂａのトリガー５１の側面が入る切込み部７０ｂとを形成している。
切込み部７０ａの後端には、取付筒部材Ｂｂの二枚の取付板５６の板側面と当接する取付筒部材ストッパー部７１が形成され、切込み部７０ｂの後端には、トリガー部材Ｂａのトリガー５１の後方の傾斜面５０に衝合するストッパー部７２が形成されている。
【００２９】
握り部６６の前方の本体部６５の連設部付近には、本体部６５の切込み部７０ｂと連接する握り部切込み部７３が設けられている。
握り部切込み部７３には、ストッパー部７２と連設し、トリガー５１の後方の斜面５０に衝合する切込み斜面７４が形成されている。
【００３０】
押圧部６７は、本体部６５に連設された押圧板７５と  押圧板７５の所定の位置に所定の長さの作動杆７６ａ、７６ｂが連設されている。
作動杆７６ａ、７６ｂの先端部は、噴霧器本体Ａのピストン部材Ａｅ１、Ａｅ２の作動杆支持部３８ａ、３８ｂ内に係合し、押圧するようになっている。
【００３１】
次に、本発明の二液混合噴霧器の使用態樣及び作用効果について説明する。
本発明の二液混合噴霧器は、薬品、化粧品、その他の内容液の噴霧器として使用される。
【００３２】
二液混合噴霧器の組み立てについて述べる。
まず、噴霧器本体Ａについては、図３に示すように、容器本体Ａａの下方より、円筒体Ａａ１、Ａａ２内に樹脂ばね部材Ａｄ１、Ａｄ２を挿入し、その後、弁部材Ａｃ１、Ａｃ２を嵌入する。
次に、容器本体Ａａの上部にノズル部材Ａｂを装着する。
この状態で、円筒体Ａａ１、Ａａ２内のそれぞれに異なる液体を収納した後、ピストン部材Ａｅ１、Ａｅ２を挿入し、容器本体Ａａの下方より、蓋部材Ａｆを装着し、閉蓋することによって、噴霧器本体Ａに内容液の充填を完了する。
【００３３】
使用前の状態においては、樹脂ばね部材Ａｄ１、Ａｄ２は力が開放された状態となっているから、弁部材Ａｃ１、Ａｃ２は、樹脂ばね部材Ａｄ１、Ａｄ２の弾力により後退させられているので、吐出孔３２ａ、３２ｂが閉鎖状態となっている。
また、容器本体Ａａに蓋部材Ａｆを装着しているので、ピストン部材Ａｅ１、Ａｅ２が容器本体Ａａ内より外れることを防いでいる。
【００３４】
次に、スプレーガンＢについては、図４に示すように、トリガー部材Ｂａの嵌合部５２に、取付筒部材Ｂｂを取付板５６の係合孔６０により装着させる。
この状態で、トリガー部材Ｂａの摺動板５３をガン本体Ｂｃのガイド孔６９に嵌入させていくことにより、スプレーガンＢの組み立ては完了する。
【００３５】
二液混合噴霧器の組み立てについては、図８に示すように、スプレーガンＢの取付筒部材Ｂｂを前方に倒す。
次に、噴霧器本体Ａを、ノズル部材Ａｂ側から、取付筒部材Ｂｂの筒部５５内に挿入していくと、ノズル部材Ａｂのケーシング１０外周が取付筒部材Ｂｂの開口５９に係合し、噴霧器本体Ａは、取付筒部材Ｂｂの筒部５５内に固定される。
噴霧器本体Ａを固定した取付筒部材Ｂｂの前方を元の位置に戻すと、二液混合噴霧器の組み立ては完了する。
【００３６】
噴霧にあたっては、ノズル部材Ａｂを所望する噴霧方向に向け、スプレーガンＢのトリガー部材Ｂａのトリガー５１と、ガン本体Ｂｃの握り部６６を把持して、トリガー部材Ｂａを引けば、取付筒部材Ｂｂに固定された噴霧器本体Ａは、後方は移動する。
噴霧器本体Ａが後方に移動して行くことで、ガン本体Ｂｃの押圧部６７の作動杆７６ａ、７６ｂが、容器本体Ａａ内のピストン部材Ａｅ１、Ａｅ２の作動杆支持部３８ａ、３８ｂ内に挿入され、作動杆７６ａ、７６ｂがピストン部材Ａｅ１、Ａｅ２を押圧する。
【００３７】
ピストン部材Ａｅ１、Ａｅ２の前進に伴い、円筒体Ａａ１、Ａａ２内の圧力が上昇し、弁部材Ａｃ１、Ａｃ２の凹状受圧面２９ａ、２９ｂに圧力が加わり、所定の圧力になると、樹脂ばね部材Ａｄ１、Ａｄ２を圧縮して、弁部材Ａｃ１、Ａｃ２が前進する。
その際、円筒体Ａａ１、Ａａ２内の空気は、空気孔７ａ、７ｂを通過して抜けるので、受圧ピストン体２５ａ、２５ｂの前進を妨げることはない。
【００３８】
この前進に伴い、弁体２６ａ、２６ｂが、容器本体Ａａの弁孔４ａ、４ｂを摺動して前進し、吐出孔３２ａ、３２ｂを開口する。
吐出孔３２ａ、３２ｂからそれぞれ吐出される液体は、流路５ａ、５ｂからノズル部材Ａｂの混合室１２に注入されて混合された後、流路１４を通り、ノズルチップ１８内に流入し、環状流路２１とスピン溝２０によりさらに液体が混合され、噴出口１９より混合液体が混合噴霧されることとなる。
【００３９】
噴霧を停止するには、トリガー部材Ｂａを引くのをやめると、ピストン部材Ａｅ１、Ａｅ２に加えていた押圧力が解除され、弁部材Ａｃ１、Ａｃ２は、樹脂ばね部材Ａｄ１、Ａｄ２が復元することにより、自然に元の位置に後退させられる。
【００４０】
弁部材Ａｃ１、Ａｃ２の後退に伴い、吐出孔３２ａ、３２ｂは、自動的に瞬時に閉鎖されることとなり、確実に液を閉じ込めることができ、噴霧を停止させるとともに、弁体２６ａ、２６ｂの後退により、容器本体Ａａの流路５ａ、５ｂおよびノズル部材Ａｂ内の混合室１２、流路１４、ノズルチップ１８内は減圧状態となるので、噴出されようとしていた液体を、混合室１２内に引き戻す吸引力が発生することとなる。
つまり、流路５ａ、５ｂおよび混合室１２が、吸戻室としての機能も果たすこととなり、噴出口から液垂れを防止する効果をさらに大きなものとすることができる。
【００４１】
噴霧停止時には、ピストン部材Ａｅ１、Ａｅ２は、停止位置に維持され、スプレーガンＢのトリガー部材Ｂａも停止位置を維持する。
再び噴霧するときには、トリガー部材Ｂａをさらに引くと、噴霧器本体Ａが後方に移動して前記のように混合噴霧される。
液体の噴霧量は、トリガー部材Ｂａの牽引長さに応じて決定され、作業者によって自由に調整できる。
【００４２】
上記実施例では、容器本体として、二つの円筒体を連設しているが、一つの円筒体であっても液垂れを防止できるので、一つの円筒容器を用いた小型の蓄圧式噴霧器であってもよい。
【００４３】
また、ばね部材として、特定の形状を有する樹脂ばね部材を用いており、噴霧器の廃棄にあたって、分別の必要がないという効果が得られるが、ばねは、金属製のコイルばね、或いは、所要の弾撥力を有する弾性体であってもよく、実施例に限定されない。
【００４４】
また、前記実施例では、弁部材と樹脂ばね部材とを別体として容器本体の円筒体内に装着するようにしているが、ばね部材と弁部材の受圧ピストン体を一体のものとして、円筒体内に装着することもできる。
【産業上の利用可能性】
【００４５】
本発明の二液混合噴霧器は、蓄圧式混合噴霧器をスプレーガンに装着し、トリガー部材で操作できるようにしたから、操作性が向上し、異種の液体を混合噴霧する噴霧器として広く利用できる。
とくに、蓄圧式噴霧器を用いる場合には、液垂れが防止されるので、さらに用途を広げることができる。
【図面の簡単な説明】
【００４６】
【図１】本発明の二液混合噴霧器の斜視図である。
【図２】二液混合噴霧器の大径円筒体のみを中心で切断した断面立面図である。
【図３】噴霧器本体の断面説明図である。
【図４】スプレーガンの正面図である。
【図５】トリガー部材の説明図で、（ａ）は正面図、（ｂ）は上面図、（ｃ）は側面図である。
【図６】取付筒部材の説明図で、（ａ）は正面断面図、（ｂ）は右側面図である。
【図７】ガン本体の説明図で、（ａ）は正面図、（ｂ）は上面図、（ｃ）は左側面図である。
【図８】二液混合噴霧の組立説明図である。
【符号の説明】
【００４７】
Ａ              噴霧器本体
Ａａ            容器本体
Ａａ１          大径の円筒体
Ａａ２          小径の円筒体
Ａｂ            ノズル部材
Ａｃ１、Ａｃ２  弁部材
Ａｄ１、Ａｄ２  樹脂ばね部材
Ａｅ１、Ａｅ２  ピストン部材
Ａｆ            蓋部材
Ｂ              スプレーガン
Ｂａ            トリガー部材
Ｂｂ            取付筒部材
Ｂｃ            ガン本体
１ａ，ｂ、４１ａ，ｂ、５８  筒壁
２ａ，ｂ、１６、３０ａ，ｂ、４０ａ，ｂ  頂壁
３              接続部
４ａ，ｂ        弁孔＋
５ａ，ｂ、１４、３３ａ，ｂ  流路
６              取付部
７ａ，ｂ        空気孔
８ａ，ｂ        膨出環
１０            ケーシング
１１            噴霧ノズル
１２            混合室
１３            円柱部
１５            環状孔
１７            側周壁
１８            ノズルチップ
１９            噴出口
２０            スピン溝
２１            環状流路
２５ａ，ｂ      受圧ピストン体
２６ａ，ｂ      弁体
２７ａ，ｂ      上面
２８ａ，ｂ      摺動面
２９ａ，ｂ      凹状受圧面
３１ａ，ｂ      弁筒壁
３２ａ，ｂ      吐出孔
３５ａ，ｂ      凸状上面部
３６ａ，ｂ      摺動面部
３７ａ，ｂ      底面部
３８ａ，ｂ      作動杆支持部
４２ａ，ｂ      蓋体
４３            蓋板
４４ａ，ｂ      挿入孔
４５ａ，ｂ      リブ
５０            傾斜面
５１            トリガー
５２            嵌合部
５３            摺動板
５５            筒部
５６            取付板
５７            壁部
５９            開口
６０            係合孔
６５            本体部
６６            握り部
６７            押圧部
６８            案内板
６９            ガイド孔
７０、７０ａ，ｂ  切込み部
７１            取付筒部材ストッパー部
７２            ストッパー部
７３            握り部切込み部
７４            切込み斜面
７５            押圧板
７６ａ，ｂ      作動杆
【図１】
2006150296.tif 000003
【図２】
2006150296.tif 000004
【図３】
2006150296.tif 000005
【図４】
2006150296.tif 000006
【図５】
2006150296.tif 000007
【図６】
2006150296.tif 000008
【図７】
2006150296.tif 000009
【図８】
2006150296.tif 000010